(57)【特許請求の範囲】
【請求項１】
乳母車の上部及び側部を各覆う上部覆い部及び側部覆い部を有し、該側部覆い部に通気部を形成してある乳母車用カバーにおいて、
前記上部覆い部は、通気部を有し、
前記上部覆い部の通気部を上側から開閉可能に被覆するシートを備え、
該シートは、前記側部覆い部の通気部の上部を上側から開閉可能に被覆するようにしてあり、前記シートが前記上部を被覆している場合であっても、該上部以外は開放されるようにしてあることを特徴とする乳母車用カバー。
【発明の詳細な説明】
【技術分野】
【０００１】
本発明は、上部覆い部と、通気部を有する側部覆い部とが乳母車の上部と側部とを覆う乳母車用カバーに関する。
【背景技術】
【０００２】
従来の乳母車用カバーは、乳母車（ベビーカー、チャイルドカー等）の天蓋、前部、側部、及び後部を覆い、天候、周囲の環境等に応じて風雨、雪、排気ガス等から乳幼児を保護する。また、従来の乳母車用カバーは、乳母車内部の換気のために、通気性を有するメッシュを側部覆い部に形成してある（特許文献１，２参照）。
【特許文献１】特開２００５−１１９５８５号公報
【特許文献２】特開２００５−１２５９９５号公報
【発明の開示】
【発明が解決しようとする課題】
【０００３】
しかしながら、乳母車内部の換気を更に容易にするために、従来の乳母車用カバーよりも更に通気性を向上させた乳母車用カバーが望まれている。
【０００４】
また、乳母車用カバーで乳母車を覆うことによって、乳母車に乗る乳幼児が乳母車用カバー外部の音を聞き取り難くなり、このため、例えば母親の声が乳幼児に聞こえ難く乳幼児が不安を覚えることがあった。
【０００５】
本発明は斯かる事情に鑑みてなされたものであり、その主たる目的は、側部覆い部及び上部覆い部の両方に通気部を備えることにより、更に通気性を向上させることができ、外部の音が内部に聞こえ易い乳母車用カバーを提供することにある。
【０００６】
本発明の他の目的は、上部覆い部の通気部を開閉可能に被覆するシートを備えることにより、通気性及び音声伝播の向上と、悪天候、周囲の悪環境等からの乳幼児の保護とを両立させることができる乳母車用カバーを提供することにある。
【０００７】
本発明の更に他の目的は、上部覆い部及び側部覆い部夫々の通気部を開閉可能に被覆するシートを備えることにより、側部覆い部の通気部から浸水することを抑制することができる乳母車用カバーを提供することにある。
【課題を解決するための手段】
【０００８】
第１発明に係る乳母車用カバーは、乳母車の上部及び側部を各覆う上部覆い部及び側部覆い部を有し、該側部覆い部に通気部を形成してある乳母車用カバーにおいて、前記上部覆い部は、通気部を有し、前記上部覆い部の通気部を上側から開閉可能に被覆するシートを備え、該シートは、前記側部覆い部の通気部の上部を上側から開閉可能に被覆するようにしてあり、前記シートが前記上部を被覆している場合であっても、該上部以外は開放されていることを特徴とする。
【００１１】
第１発明にあっては、通気部が乳母車用カバーの上部覆い部に形成してある。乳母車用カバーは少なくとも乳母車の上部及び側部を覆い、一般に乳母車の前部及び後部も覆う。このような乳母車用カバーの内部は、乳母車用カバーの上部覆い部の通気部及び側部覆い部の通気部を介して空気が流動することによって換気される。また、上部覆い部の通気部及び側部覆い部の通気部を介して乳母車用カバー外部の音声が内部へ容易に伝播し、逆に、乳母車用カバー内部の音声が外部へ容易に伝播する。
【００１２】
更に、例えば雨天時は、上部覆い部の通気部をシートで上側から被覆することによって閉鎖する。この場合、上部覆い部の通気部へ水滴が浸入することが防止される。また、例えば晴天時は、上部覆い部の通気部からシートを取り外すことによって上部覆い部の通気部を開放する。この場合、上部覆い部の通気部を介して換気され、また、音声が伝播する。
【００１３】
更にまた、例えば雨天時は、上部覆い部の通気部をシートで上側から被覆することによって閉鎖し、側部覆い部の通気部の上部をシートで上側から被覆することによって閉鎖する。この場合、各通気部へ水滴が浸入することが防止される。しかも、側部覆い部の通気部の上部以外は被覆されないため、この部分を介して換気され、また、音声が伝播する。また、例えば晴天時は、上部覆い部及び側部覆い部夫々の通気部からシートを取り外すことによって各通気部を開放する。この場合、各通気部を介して換気され、また、音声が伝播する。
【発明の効果】
【００１４】
第１発明の乳母車用カバーによる場合、上部覆い部の通気部及び側部覆い部の通気部によって、更に通気性を向上させることができる。また、上部覆い部の通気部及び側部覆い部の通気部を介して音声が伝播し易いため、乳母車に乗車している乳幼児が、例えば母親の声を聞いて安心感を得ることができ、逆に、母親が乳幼児の声を聞いて乳幼児の様子を容易に把握することができる。
【００１５】
更に、シートによって上部覆い部の通気部を開閉できるため、例えば雨、雪等の悪天候の場合に、上部覆い部の通気部から水分が浸入することを防ぎ、また、好天の場合に、通気性を向上させることができ、容易に音を伝播させることができる。つまり、通気性の向上及び音声の伝播の向上と、悪天候、周囲の悪環境等からの乳幼児の保護とを両立させることができる。
【００１６】
更にまた、シートによって上部覆い部及び側部覆い部夫々の通気部を開閉できるため、例えば雨、雪等の悪天候の場合に、各通気部から水分が浸入することを防ぎつつ、適度な通気性及び音の伝播可能性を確保することができ、また、好天の場合に、通気性を向上させることができ、容易に音を伝播させることができる。つまり、通気性の向上及び音声の伝播の向上と、悪天候、周囲の悪環境等からの乳幼児の保護とを両立させることができる。しかも、シートが上部覆い部の通気部と側部覆い部の通気部とを両方開閉するため、上部覆い部の通気部を開閉するシートとは別個に側部覆い部の通気部を開閉する開閉部材を設ける必要がなく、乳母車用カバーの形状が簡易になる。また、上部覆い部の通気部の開閉と側部覆い部の通気部の開閉とを同時的に行なうことができるため、ユーザの利便性を向上させることができる。
【発明を実施するための最良の形態】
【００１７】
以下、本発明を、その実施の形態を示す図面に基づいて詳述する。
【００１８】
図１は、本発明に係る乳母車用カバー１を用いて乳母車３を被覆した場合の正面斜視図であり、図２は、同じく背面斜視図である。また、図３は、乳母車用カバー１に形成されたメッシュ１２０，１２０，１３０を開放した状態の正面斜視図である。
【００１９】
乳母車３は、乳幼児が乗車する座席ユニット３１の下方に車輪３２，３２，…が配され、上方に座席ユニット３１を覆う天蓋３３が配され、後部上方にハンドル３４が配されている。座席ユニット３１は、乳幼児が座る座席部３１０、座席部３１０後部の背もたれ３１１、座席部３１０前部の手すり３１２、及び座席部３１０両側部の肘掛け３１３，３１３を有する。また、座席ユニット３１は、下部に車輪３２，３２，…が回転可能に連結されているパイプ状のフレームに支持されている。
【００２０】
天蓋３３は背もたれ３１１の上部及び両側部から座席部３１０の上方及び側方へ突出するように形成されている。更に詳細には、天蓋３３の上面は、例えば意匠性の向上のために、後側が高く前側が低くなるよう形成されている。ハンドル３４はパイプ状であり、背もたれ３１１の上方に配された横バーの左右端部が、背もたれ３１１の側方両端部に配されたフレームに一体形成してある。
【００２１】
乳母車用カバー１は、座席ユニット３１の前部を覆う前部覆い部１１、両側部を側部覆い部１２，１２、天蓋３３を覆う上部覆い部１３、上部覆い部１３から垂れ下がって座席ユニット３１の背部を覆う背部覆い部１４、及び、側部から背部へ折れ曲がって背部を覆うべく側部覆い部１２，１２から延設された延設覆い部１２１，１２１を有し、更に、上部覆い部１３の背縁に連なり、開閉可能に上部覆い部１３の全部と前部覆い部１１及び側部覆い部１２，１２夫々の一部を覆うシート１５を有する。
【００２２】
前部覆い部１１、上部覆い部１３及び背部覆い部１４は、透光性及び柔軟性を有する矩形状のＰＥＶＡ（ポリエチレンビニールアセテート）シートを用いて一体に形成してある。側部覆い部１２，１２は、柔軟性を有するナイロンシートを用いてなる略矩形であり、一辺部及び該一辺部に連なる他辺部が、前部覆い部１１及び上部覆い部１３の端部に縫い付けられている。このようにして、前部覆い部１１、側部覆い部１２，１２及び上部覆い部１３は、乳母車３を覆う立体形状に形成されている。また、延設覆い部１２１，１２１は、側部覆い部１２，１２と一体であって、延設覆い部１２１，１２１の対向端部に、ナイロン製の紐部材１２２，１２２の一端部が縫い付けられている。ここで、ＰＥＶＡシート及びナイロンシートは撥水性を有し、通気性を有していない。
【００２３】
上部覆い部１３の中央部には、矩形状の孔部が形成してあり、この孔部を塞いで、ポリエステルを用いてなるメッシュ１３０が張設してある。同様に、各側部覆い部１２の上部近傍には、円形状の孔部が形成してあり、この孔部を塞いで、ポリエステルを用いてなるメッシュ１２０が張設してある。メッシュ１２０，１２０，１３０は通気性及び柔軟性を有し、各メッシュ１２０は側部覆い部１２の通気部として機能し、メッシュ１３０は上部覆い部１３の通気部として機能する。また、メッシュ１２０，１２０，１３０は、両側部覆い部１２，１２及び上部覆い部１３夫々を病害虫が通過することを防止する。
【００２４】
シート１５は、透光性及び柔軟性を有する矩形状のＰＥＶＡシートであり、一辺部が、上部覆い部１３と背部覆い部１４との仮想的な境界線上に縫い付けられている。シート１５の面積は上部覆い部１３の面積と略等しく、このため、シート１５が上部覆い部１３を被覆することによって、メッシュ１３０を完全に被覆（閉鎖）する。
【００２５】
シート１５の前記一辺部以外の３辺部は、上部覆い部１３の端部から前部覆い部１１及び側部覆い部１２，１２夫々へ誰何する前部垂れ蓋１５ａ及び左右の側部垂れ蓋１５ｂ，１５ｂとして機能する。前部垂れ蓋１５ａ及び左右の側部垂れ蓋１５ｂ，１５ｂには、３個及び各２個のスナップ１３１，１３１，…の雄側が固着してある。シート１５が上部覆い部１３を被覆する場合、前部垂れ蓋１５ａは、前部覆い部１１の上部側へ垂下する。前部覆い部１１の上部近傍には、前部垂れ蓋１５ａの３個のスナップ１３１，１３１，１３１の雄側に夫々嵌合する３個の雌側が固着してある。同様に、各側部垂れ蓋１５ｂは、側部覆い部１２の上部側、更に詳細にはメッシュ１２０の上部側へ垂下し、メッシュ１２０の上部を覆う。側部覆い部１２の上部近傍には、側部垂れ蓋１５ｂの２個のスナップ１３１，１３１の雄側に夫々嵌合する２個の雌側が固着してある。
【００２６】
シート１５は、スナップ１３１，１３１，…の嵌合が解除された状態で上部覆い部１３から捲り上げられるか、又は巻き上げられることによって、メッシュ１２０，１２０，１３０を開放する。
【００２７】
以上のような乳母車用カバー１は、走行形態の乳母車３に取り付けられる。この場合、まず、前部覆い部１１、両側部覆い部１２，１２及び上部覆い部１３が乳母車３の座席ユニット３１の前部、両側部、及び天蓋３３を覆うように乳母車用カバー１を乳母車３に被せ、背部覆い部１４を背もたれ３１１とハンドル３４との間に通して背もたれ３１１の後部へ垂下させる。更に、延設覆い部１２１，１２１を座席ユニット３１の両側部から背もたれ３１１の後部へ折り曲げ、紐部材１２２，１２２を結ぶ。
【００２８】
天蓋３３は後側が高く前側が低い段差を有するため、天蓋３３を被覆する上部覆い部１３と天蓋３３との間、延いてはメッシュ１３０と天蓋３３との間には空隙が生じる。
【００２９】
前部覆い部１１、両側部覆い部１２，１２、上部覆い部１３、背部覆い部１４及び延設覆い部１２１，１２１が座席ユニット３１を覆うことによって、座席ユニット３１内部、延いては座席ユニット３１内部の乳幼児が、風雨、雪、排気ガス等から保護される。
【００３０】
また、例えば晴天であるときは、スナップ１３１，１３１，…を取り外し、シート１５を後方へ巻き上げることによって、シート１５を上部覆い部１３から離隔し、メッシュ１２０，１２０，１３０を開放する。この場合、メッシュ１２０，１２０，１３０を介して乳母車用カバー１に覆われた座席ユニット３１内部が換気される。また、メッシュ１２０，１２０，１３０を介して音声が容易に伝播する。
【００３１】
一方、例えば雨天であるときは、巻き上げていたシート１５を上側から上部覆い部１３に近接させ、両側部垂れ蓋１５ｂ，１５ｂ及び側部覆い部１２の計４個のスナップ１３１，１３１，…を取り付け、又、前部垂れ蓋１５ａ及び前部覆い部１１の３個のスナップ１３１，１３１，１３１を取りつけることによって、シート１５で上部覆い部１３を被覆し、メッシュ１３０を閉鎖する。この場合、両側部垂れ蓋１５ｂ，１５ｂがメッシュ１２０，１２０の上部へ垂下して被覆する。このため、一部が両側部垂れ蓋１５ｂ，１５ｂに覆われたメッシュ１２０，１２０を介して乳母車用カバー１に覆われた座席ユニット３１内部が換気される。また、メッシュ１２０，１２０を介して音声が容易に伝播する。
【００３２】
更に、シート１５の中央部がメッシュ１３０への雨水の浸入を防止する。更にまた、シート１５から側部覆い部１２側へ移動した雨水は、両側部垂れ蓋１５ｂ，１５ｂに沿って地面へ落下するため、メッシュ１２０，１２０への雨水の侵入が抑制される。また、スナップ１３１，１３１，…によって、シート１５が不要に捲くれ上がることが防止される。しかも、メッシュ１２０，１２０は両側部垂れ蓋１５ｂ，１５ｂによって一部のみが被覆され、残部が開放されているため、適度な通気性を維持することができる。
【００３３】
なお、側部覆い部の通気部及び上部覆い部の通気部は、メッシュ１２０，１２０，１３０の代わりに、側部覆い部１２，１２及び上部覆い部１３に複数の孔を形成することによって設けてもよい。また、メッシュ１２０，１２０は一方のみを設けてもよい。更に、例えば天蓋３３の上面が平坦であって、天蓋３３を覆うメッシュ１３０との間に空隙が生じない場合は、天蓋３３の上面にスペーサを配してもよい。
【図面の簡単な説明】
【００３４】
【図１】本発明に係る乳母車用カバーを用いて乳母車を被覆した場合の正面斜視図である。
【図２】本発明に係る乳母車用カバーを用いて乳母車を被覆した場合の背面斜視図である。
【図３】本発明に係る乳母車用カバーに形成されたメッシュを開放した状態の正面斜視図である。
【符号の説明】
【００３５】
１  乳母車用カバー
１２  側部覆い部
１２０  メッシュ（側部覆い部の通気部）
１３  上部覆い部
１３０  メッシュ（上部覆い部の通気部）
１５  シート
１５ｂ  垂れ蓋
３  乳母車
【図１】
0004403116.tif 000002
【図２】
0004403116.tif 000003
【図３】
0004403116.tif 000004